(57)【要約】      （修正有）【課題】ストッパーブロック或いは位置制限部材を使用する必要がなく、構造が簡単で製造が容易なＸ型回転軸装置を提供する。【解決手段】Ｘ型回転軸装置は物干しスタンドの回転軸５１に適用でき、２個のＮ型基板２０、上棒３０、下棒４０、サポートフレーム棒５０、２個の角度制限部材６０を有し、２個のＮ型基板２０は対称に設置され、上棒３０、下棒４０は２個のＮ型基板２０の上端と下端にそれぞれ固定して設置され、サポートフレーム棒５０は回転軸５１を通して２個のＮ型基板２０の間に枢設され２個のＮ型基板２０に相対して転動を生じ、２個の角度制限部材６０は２個のＮ型基板２０外側の定位点２２にそれぞれ固定して設置され、２個のＮ型基板２０の間に連接され、サポートフレーム棒５０は２個のＮ型基板２０に相対して展開し、最大転動角度時に２個の角度制限部材６０に接触する。【選択図】図３
0003227640.tif 000002
【実用新案登録請求の範囲】
【請求項１】
Ｘ型回転軸装置であって、２個のＮ型基板、上棒、下棒、サポートフレーム棒、及び２個の角度制限部材を有し、
前記２個のＮ型基板は、対称に設置され、外側にそれぞれ定位点を設置し、
前記上棒は、前記２個のＮ型基板の上端に固定して設置され、
前記下棒は、前記２個のＮ型基板の下端に固定して設置され、
前記サポートフレーム棒は、回転軸により、前記２個のＮ型基板の間に枢設され、前記２個のＮ型基板に相対して転動を生じ、
前記２個の角度制限部材は、前記２個のＮ型基板外側の定位点にそれぞれ固定して設置され、前記２個のＮ型基板の間に連接され、
前記サポートフレーム棒は前記２個のＮ型基板に相対して展開し、最大転動角度時には前記２個の角度制限部材に接触することを特徴とする、
Ｘ型回転軸装置。
【請求項２】
前記Ｘ型回転軸装置は、物干しスタンドその他の機械の転動装置に適用可能なことを特徴とする請求項１に記載のＸ型回転軸装置。
【請求項３】
前記２個のＮ型基板は、それぞれ１個の軸孔を有し、これにより前記回転軸は前記サポートフレーム棒に通して設置され、軸孔を中心に回転することを特徴とする請求項１に記載のＸ型回転軸装置。
【請求項４】
前記２個の角度制限部材はＵ字型であることを特徴とする請求項１に記載のＸ型回転軸装置。
【請求項５】
前記２個の角度制限部材は長矩形であることを特徴とする請求項１に記載のＸ型回転軸装置。
【考案の詳細な説明】
【技術分野】
【０００１】
本考案はＸ型回転軸装置に関し、特に物干しスタンドにしばしば見られる回転軸であって、一定角度内でのＸ型転動が可能で、これにより展開と折り畳みの目的を達成できるＸ型回転軸装置に関する。
【背景技術】
【０００２】
特許文献１に開示する『物干しスタンド』は、図１及び図２に示すＸ型転動装置を有する。
Ｘ型転動装置は、サポートフレーム棒１０、上棒部材１１、下棒部材１２、２枚１組で左右対称のＮ型金属板１３を有する。
サポートフレーム棒１０は、旋回軸１４を通して、Ｎ型金属板１３に転動するように設置され、２個のＮ型金属板１３上端と下端には、上棒部材１１と下棒部材１２をそれぞれ固定して設置する。
図１に示す通り、２個のストッパーブロック１５をさらに有し、Ｎ型金属板１３の内側相対位置に固定して設置され、サポートフレーム棒１０の最大転動角度を制限する。
図２に示す通り、もう一種のサポートフレーム棒１０の最大転動角度制限構造は、上棒部材１１と下棒部材１２の内端を斜めにカットし、位置制限部材１６をそれぞれ固定して設置し、これによりサポートフレーム棒１０は最大転動角度時に接触して支え合い、角度制限の効果を達成する。
【０００３】
上記の２種類の角度制限構造には、設計上の欠点が存在する。
それは、ストッパーブロック１５或いは位置制限部材１６を使用し、サポートフレーム棒１０を正確に支えなければならない点であり、取り付け時には正確な角度及び位置の調整が必要である。
【先行技術文献】
【特許文献】
【０００４】
【特許文献１】台湾特許第Ｍ５４５７９５号明細書
【考案の概要】
【考案が解決しようとする課題】
【０００５】
前記先行技術には、ストッパーブロック或いは位置制限部材を使用し、サポートフレーム棒を正確に支えなければならないため、取り付け時には正確な角度及び位置の調整が必要であるという欠点がある。
【課題を解決するための手段】
【０００６】
本考案の角度制限部材は、２個のＮ型基板外側の定位点に固定して設置され、これによりサポートフレーム棒が展開し最大角度となった時には、角度制限部材に接触するため、ストッパーブロック或いは位置制限部材を使用する必要がなく、構造が簡単で製造が便利なＸ型回転軸装置に関する。
【０００７】
本考案によるＸ型回転軸装置は、２個のＮ型基板、上棒、下棒、サポートフレーム棒、２個の角度制限部材を有する。
２個のＮ型基板は対称に設置され、外側にそれぞれ定位点を設置し、上棒及び下棒は２個のＮ型基板の上端と下端にそれぞれ固定して設置され、サポートフレーム棒は回転軸を通して２個のＮ型基板の間に枢設され、２個のＮ型基板に相対して転動を生じる。
２個の角度制限部材は、２個のＮ型基板の定位点にそれぞれ固定して設置され、２個のＮ型基板の間に連接され、サポートフレーム棒は２個のＮ型基板に相対して展開し、最大転動角度時には２個の角度制限部材に接触する。
【０００８】
本考案のＮ型基板は、転動角度最大定位点の位置を先に決定し、これに基づいてＮ型基板の形状を設計する。
【図面の簡単な説明】
【０００９】
【図１】特許文献１に開示する『物干しスタンド』による第一のＸ型転動装置の局部拡大断面模式図であり、サポートフレーム棒とストッパーブロックが接触する状況を示す。
【図２】特許文献１の『物干しスタンド』に開示する第二のＸ型転動装置の局部拡大断面模式図であり、上棒部材と下棒部材に斜めに固定して設置される位置制限部材を示す。
【図３】本考案によるＸ型回転軸装置の第一実施形態の展開状態模式図である。
【図４】本考案によるＸ型回転軸装置の第一実施形態の折り畳み状態模式図である。
【図５】本考案第一実施形態の単一のＮ型基板構造の模式図である。
【図６】本考案第一実施形態のＮ型基板構造の模式図であり、Ｕ字型の角度制限部材を示す。
【図７】本考案によるＸ型回転軸装置の第二実施形態の展開状態模式図であり、長矩形の角度制限部材を示す。
【考案を実施するための形態】
【００１０】
（一実施形態）
図３〜図６に示す通り、本考案によるＸ型回転軸装置の第一実施形態は、２個のＮ型基板２０、上棒３０、下棒４０、サポートフレーム棒５０、２個の角度制限部材６０を有する。
【００１１】
２個のＮ型基板２０は、対称に設置され、２個のＮ型基板２０は、それぞれ１個の軸孔２１を有する。これにより回転軸５１は、サポートフレーム棒５０を貫通して設置され、軸孔２１において回転する。
以上の構造により、サポートフレーム棒５０は、２個のＮ型基板２０の間に枢設され、しかも２個のＮ型基板２０に相対して転動を生じ、例えば、図３に示す展開状態と図４に示す折り畳み状態の間で転動する。
また、２個のＮ型基板２０は相互に対応する２個の外側の角に、定位点２２を設置する。
定位点２２はサポートフレーム棒５０が転動可能な最大角度の定位点である。
実際の設計時には、転動角度の制限に基づき、先ず定位点２２の位置を設計し、次にＮ型基板２０の形状を設計する。
【００１２】
上棒３０と下棒４０は、２個のＮ型基板２０の上端と下端にそれぞれ固定して設置される。
上棒３０と下棒４０の長さは、サポートフレーム棒５０より短い。
【００１３】
２個の角度制限部材６０は、２個のＮ型基板２０の外側にそれぞれ固定して設置される。
本考案の実施形態では、２個の角度制限部材６０は、定位点２２に固定され、２個のＮ型基板２０の間に連接される。
これにより、サポートフレーム棒５０は、２個のＮ型基板２０に相対して展開され、しかも最大転動角度時には２個の角度制限部材６０に接触する。
【００１４】
本実施形態中において、２個の角度制限部材６０はＵ字型で、図７に示す第二実施形態では、２個の角度制限部材６０は長矩形である。
よって、その形状は必要に応じて設計でき、制限がない。
【００１５】
Ｎ型基板２０の設計時、Ｎ型基板２０の両側に角度制限部材６０を直接成形し、全体を平面に形成する。角度制限部材６０とＮ型基板２０は垂直に折れるため、製造がより便利となる。
これにより、本考案においてＮ型基板２０の設計を計画する際には、先ずＸ型回転軸装置の角度制限の必要に応じて、角度が最大の定位点２２を設計する。
次にＮ型基板２０外形の設計を完成後、続いて角度制限部材６０及びサポートフレーム棒５０、上棒３０及び下棒４０と連結し、Ｘ型回転軸装置の組み立てを完成させる。
以上により、サポートフレーム棒５０は、展開或いは折り畳みの間で転動できる。
本考案は構造が簡単で、製造が容易であり、応用範囲が広い。
【００１６】
本考案は物干しスタンドへの使用に限定されず、他の機械の転動装置に応用できる。
【００１７】
前述した本考案の実施形態は本考案を限定するものではなく、よって、本考案により保護される範囲は後述される実用新案登録請求の範囲を基準とする。
【符号の説明】
【００１８】
＜従来技術＞
１０  サポートフレーム棒
１１  上棒部材
１２  下棒部材
１３  Ｎ型金属板
１４  旋回軸
１５  ストッパーブロック
１６  位置制限部材
＜本考案＞
２０  Ｎ型基板
２１  軸孔
２２  定位点
３０  上棒
４０  下棒
５０  サポートフレーム棒
５１  回転軸
６０  角度制限部材
【図１】
0003227640.tif 000003
【図２】
0003227640.tif 000004
【図３】
0003227640.tif 000005
【図４】
0003227640.tif 000006
【図５】
0003227640.tif 000007
【図６】
0003227640.tif 000008
【図７】
0003227640.tif 000009